(57)【要約】【課題】  リデュース、リユース可能な簡易包装用食品容器の提供。【解決手段】    内容器２に設けられた仕切２１に応じて縁枠１の各内壁面に設けられた補強桟１１を、容器の組立に際して、一体成形された内容器２の仕切２１の下面の空間２４内に挿入し、薄いプラスチックからなる内容器２を支持した簡易包装用食品容器である。【選択図】  図６
2010116197.tif 000002
【特許請求の範囲】
【請求項１】
縁枠と薄いプラスチック製内容器とを分離可能な接合機構によって組み立てた容器において、
使用後、縁枠と内容器を分離し、縁枠を新規容器の縁枠として再利用可能とした簡易包装用食品容器。
【請求項２】
縁枠と内容器とを分離可能な接合機構が、縁枠内に内容器を落とし込む機構、嵌合機構、および、突起、凹凸による係止機構の中の何れかである請求項１に記載の簡易包装用食品容器。
【請求項３】
縁枠に内容器の仕切に対応する補強桟を設け、縁枠と内容器とを分離可能な接合機構によって組み立てる際に、縁枠に設けた補強桟を内容器の仕切の下方に形成された空間に挿入して内容器を支持した請求項１に記載の簡易包装用食品容器。
【請求項４】
縁枠のそれぞれの角部を折り込み可能とするとともに、補強桟の縁枠との接合部分、および、補強桟相互の接合部分の厚みを薄くすることによって、その薄くした部分を折り込んで縁枠を折り畳み可能とした請求項３に記載の簡易包装用食品容器。
【発明の詳細な説明】
【技術分野】
【０００１】
本発明は、内容器の素材のリデュースと縁枠のリユースを可能にすることによって環境に与える負荷を少なくした簡易包装用食品容器に関する。
【背景技術】
【０００２】
コンビニ、スーパー、デパート地下等で販売されている持ち帰り用、弁当用の食品容器としては、通常、樹脂を一体成形したプラスチックトレーや発泡プラスチックからなる縁枠に一体成形された薄いプラスチックの内容器を接合した容器本体にプラスチック製の蓋を被せた簡易包装用食品容器が使用されている。
【０００３】
昨今、地球温暖化対策の一環として、素材とくにプラスチック材のリデュース（使用量低減）、リユース（再使用）およびリサイクル（回収再生）が図られている。
【０００４】
ところが、プラスチック製の食品容器については、唯一、トレーのマテリアルリサイクルに一部で取り組んでいるに過ぎず、殆どが使い捨てされているのが実情である。しかも、トレーのマテリアルリサイクルに際しては、納品時よりも何倍も嵩張る形になったトレーを回収運搬しなければならず、その運搬に際しては納品時よりも何倍も多いＣＯ２の発生を伴うことになる。また、再生する前に洗浄しなければならない点においても、水資源を更に使い汚水を流すことでも、新たな環境負荷が加わることになる。
【０００５】
企業向けの宅配弁当は、回収容器が主流であり、これはリユースされるが、「ばんじゅう」に入れて運搬し、食後に回収しなければならない。そして、回収後は洗浄しなければならない。
【０００６】
このように、トレーリサイクル及び回収容器のリユースにも、環境に負荷を与える問題がある。すなわち、運搬回収においてはＣＯ２を発生し、かつ、容器に残った食べかすや付着した油を除去し洗浄する必要があり、洗剤と洗浄水を多量に消費することになり、従来の回収仕組みは、必ずしも環境にやさしいとは言えない。
【発明の開示】
【発明が解決しようとする課題】
【０００７】
本発明は、容器を構成する縁枠をリユース可能とし、内容器の原料使用量を少なくすること、すなわち、リデュースを可能にした簡易包装用食品容器を提供するものである。
【課題を解決するための手段】
【０００８】
本発明の簡易包装用食品容器は、縁枠を、内容器から簡単に分離でき、且つ、リユース可能な強固な構造とし、これに支えられる内容器の厚みを薄くできるようにして内容器の原料使用量を少なくすること、すなわち、リデュースにより、廃棄する内容器の量を少なくして環境負荷を軽減するものである。
【０００９】
縁枠と内容器とを簡単に分離できる接合機構としては、落とし込み機構、嵌合機構、突起、凹凸による係止機構などを適用できる。例えば、特許第３２９９４４９号に開示したように、縁枠内に上方から薄いプラスチック製の内容器を落し込み、前記縁枠の上縁に前記内容器の上縁から外方に張り出した外縁を係止して組み立てた簡易容器が、接着剤または熱融着によって接合されたものよりも、簡単に分離できることを利用するもので、これによって、使用済み容器の縁枠と内容器との分解分離を容易にし、縁枠を再利用する。
【００１０】
本発明の場合、強度のあるリユース可能な折り畳みタイプの硬質材からなる縁枠を使用することによって、従来より薄い素材からなる内容器を使用しても、簡易容器全体の強度を損なうことなく、見栄えの良い容器の製作を可能にし、使用後は、汚れた内容器は廃棄し、縁枠は新規容器に再利用する。
【００１１】
また、本願発明は、内容器の仕切りに沿った補強桟を縁枠内に設け、この補強桟を内容器の仕切りの下面空間内に挿入できるようにすることもできる。この補強桟を内容器の仕切り内に挿入することによって、薄いプラスチックシート材で真空成形のような一体成形によって得られた内容器が支持されることによって、内容器の収納加工食品に対する支持強度が増す。そのため、内容器の成形に使用されるプラスチックシート材の厚みは、従来の４００μｍ以上から１００μｍ厚み程度まで減少させることができる。この厚み軽減によって、容器全体を軽量化できるとともに、廃棄する内容器の量は減少する。
【００１２】
内容器の仕切りに沿って補強桟を縁枠内に設けるに際しては、組立て時と回収時の嵩張りを小さくするために、縁枠のそれぞれの角部を折り込み可能とするとともに、補強桟の縁枠との接合部分、および、補強桟相互の接合部分の厚みを薄くすることによって、その薄くした部分を折り込んで縁枠を折り畳み可能とすることもできる。
【発明の効果】
【００１３】
本発明の簡易包装用食品容器は、その縁枠と内容器とを機械的接合によって接着剤あるいは熱融着によらず簡単に組み立てることができる。さらに、回収後の運搬回数を少なくすることで、運搬で発生するＣＯ２量を削減できるとともに、回収後の洗浄に要する水を削減することにより、また、使い捨ての内容器の量を少なくすることにより環境に与える負荷を軽減できる。
【００１４】
また、縁枠自体の強化または補強桟による内容器の支持強化によって、内容器の厚みをさらに薄くでき、その原料使用量を少なくできる。
【００１５】
弁当やデパ地下等で販売されているお弁当容器として、また、企業、病院や高齢者向けの宅配弁当容器として使用し、食べかすや油の付着した内容器は使用したところで廃棄し、縁枠を回収しリユースできるが、内容器は廃棄するため、従来の回収容器のように、運んだ当日に回収しなくてもよく、次に運んだ際に回収できるため、運搬作業を削減でき、ＣＯ２発生を抑制できる。また、汚れた内容器は廃棄するため洗浄水の使用を削減できるので、環境に与える負荷を小さくできる。
【発明を実施するための最良の形態】
【００１６】
本発明に係るリデュース、リユース可能な食品容器は、それを構成する縁枠と食品の収納部位となる内容器との接合を熱融着、接着剤などによる接着手段ではなく、嵌合、係止機構のような機械的接合機構によって接合された縁枠を内容器の下縁に形成した嵌合部位に嵌着するいわゆる下嵌合タイプ、または、内容器の上縁に形成した嵌合部位に縁枠を嵌着するいわゆる上嵌合タイプ等、縁枠と内容器とを熱融着または接着剤によらないで接合した嵌合タイプの簡易容器に好適に適合できる。
【実施例】
【００１７】
実施例１
図１は、本発明の簡易包装用食品容器の第１の実施例１０を示す。同図において、再使用可能な硬質紙、木材または硬質プラスチックからなる縁枠１と一体成形されたプラスチック材からなる内容器２とからなる容器本体と、この容器本体を覆う蓋３とからなる。
【００１８】
図３は、搬送に際して嵩張らないように、帯状に折り畳んだ縁枠１を示す。
【００１９】
図２は、本発明の食品容器１０の組立手順と分離手順を示す。組立てに際しては、図３に示すように折り畳まれた縁枠１を展開した上から、仕切り２１によって食品収納箇所２２を形成した一体成形された薄いプラスチック材からなる内容器２を落し込み、内容器２の上方外縁２３を縁枠１の上縁に係止したものである。
【００２０】
図４は、組み立てられた加工食品容器１０の断面構造を示す。
【００２１】
使用後この縁枠をリユースするに際しては、図２に示す上向き矢印方向に蓋３，内容器２の順に分離する。縁枠１は、使用によって、破損されたり、また、汚染されることもないのでそのまま再利用（リユース）に提供される。蓋材３は汚れがすくないので水洗い、あるいは、軽く洗剤による洗浄によって再利用に供することもできる。
【００２２】
実施例２
この実施例は、再利用のための簡易包装用食品容器として、内容器を縁枠に設けた補強桟によって補強したものである。
【００２３】
図５は、この実施例に係る容器２０の外観を示す。外観上は、内容器の仕切の数、配置を除いて、図１に示す第１の実施例の容器１０と同じで、縁枠１と一体成形されたプラスチック材からなる内容器２とからなる容器本体と、この容器本体を覆う蓋３とからなる。
【００２４】
図６は、容器２０の組立手順と分離手順を、それぞれ、矢印の下向きと上向きによって示し、図７は断面によって示す。
【００２５】
同図において、１は発泡プラスチック材、硬質紙、木材または硬質プラスチックからなる縁枠で、１１は縁枠１の各内壁面に取り付けられた補強桟であって、内容器２に設けられた仕切２１に応じて設けられている。容器の組立に際して、この補強桟１１は、その図７の断面に示されている一体成形された内容器２の仕切２１の下面の空間２４内に挿入し、内容器２を補強する。図示の場合には、内容器２に設けられた仕切２１の全てに対応して補強桟１１を設け、仕切２１の下面の空間２４の全てに補強桟１１を挿入するようになっているが、全てではなく、補強すべき仕切を特定して、その仕切に対応して設けることもできる。
【００２６】
この縁枠１は、図８の補強桟１１の拡大図に示すように、補強桟１１と縁枠１との接合部分、および、補強桟相互の接合部分に、厚みを薄くした折り込み可能部分１２を形成することによって、図９に示すように、その部分を折り曲げ可能にして、図６に示す展開状態から、図１０に示すように、全体を折り畳んだ状態とし、さらには、容器の組立てと再使用に際しては、折り畳んだ状態から簡単に展開することができる。
【００２７】
この縁枠１と内容器２を組み立てるには、内容器２の外縁２３を縁枠１の上縁１３上に嵌合する。これによって、組立断面を示す図７に示すように、縁枠１の補強桟１１は、内容器２の仕切２１の下面空間２４内に挿入され、仕切２１を補強する。この仕切２１の補強によって、内容器２の素材として、従来の内容器の厚みよりも薄いもの、例えば、１００μｍ厚のものを使用できる。
【００２８】
分離の際には、上向き矢印のように、内容器２を縁枠１から引き上げて分離し縁枠１は、補強桟１１を付けたまま、新規容器の縁枠１としてそのまま再利用（リユース）に提供される。
【００２９】
また、内容器を構成するプラスチック材は極薄の素材からなるために容器から簡単に分離でき、また、内容器の構成材料を従来よりも少なくすることができ、環境に与える負荷の削減を可能にする。（リデュース）
【００３０】
また、補強桟１１を付けたままの縁枠１は、そのまま再利用（リユース）して、図６に示す要領で容器の組立が可能となる。
【図面の簡単な説明】
【００３１】
【図１】本発明の簡易包装用食品容器の第１の実施例を示す。
【図２】簡易包装用食品容器の組立手順と組立部材を示す。
【図３】枠材の折り畳み状態を示す。
【図４】組立て後の容器の断面構造を示す。
【図５】第２の実施例に係る簡易包装用食品容器を示す。
【図６】簡易包装用食品容器の組立手順と組立部材を示す。
【図７】組立て後の容器の断面構造を示す。
【図８】補強桟の拡大図を示す。
【図９】補強桟の折り曲げ図を示す。
【図１０】縁枠を折り畳んだ状態を示す。
【符号の説明】
【００３２】
１０，２０  本発明の容器  
１  縁枠    １１  補強桟  １２  折り込み可能部分  １３  縁枠の上縁
２  内容器    ２１  仕切り    ２２  食品収納位置    ２３  上方外縁
２４  仕切りの下面空間
３    蓋
【図１】
2010116197.tif 000003
【図２】
2010116197.tif 000004
【図３】
2010116197.tif 000005
【図４】
2010116197.tif 000006
【図５】
2010116197.tif 000007
【図６】
2010116197.tif 000008
【図７】
2010116197.tif 000009
【図８】
2010116197.tif 000010
【図９】
2010116197.tif 000011
【図１０】
2010116197.tif 000012